(57)【要約】【課題】燃料電池に用いる電圧調整装置及びその方法を提供する。【解決手段】燃料電池１０に用いる電圧調整装置２０及びその方法は、多数のコンバーター２１−１のインプット端は、並列電気連接関係により、燃料電池１０に電気的に連接し、しかも各コンバーター２１−１のアウトプット端は、直列電気連接関係により、負荷３０のプラスエンドポイントとマイナスエンドポイントとの間に連接し、コンバーター２１−１により、燃料電池１０のアウトプットを転換し、アウトプット電圧を合併してアウトプットし、この負荷３０の作動電圧とし、制御回路２３を利用し、アウトプット電圧に対応するフィードバック信号ＦＢを受信し、これにより各コンバーター２１−１のフィードバック制御を行い、こうして各コンバーター２１−１は、等しい大きさの定電圧Ｖｉをアウトプットする。【選択図】図１
2012029544.tif 000002
【特許請求の範囲】
【請求項１】
燃料電池に用いる電圧調整装置は、複数のコンバーター、制御回路からなり、
該複数のコンバーターの該各コンバーターは、インプット端とアウトプット端を備え、しかも該各コンバーターの該各インプット端は、並列電気連接関係により、燃料電池に電気的に連接し、該各コンバーターの該各アウトプット端は、直列電気連接関係により、負荷のプラスエンドポイントとマイナスエンドポイントとの間に連接し、
該制御回路は、該負荷に相応する作動電圧に基づき、該各コンバーターを制御し、これにより該各コンバーターに等しい大きさの定電圧をアウトプットさせたことを特徴とする燃料電池に用いる電圧調整装置。
【請求項２】
前記制御回路は、複数のユニットコントローラーを備え、該各コンバーターにそれぞれ対応し、
該各ユニットコントローラーは、該負荷の作動電圧に基づき、対応する該コンバーターがアウトプットする該定電圧を制御したことを特徴とする請求項１に記載の燃料電池に用いる電圧調整装置。
【請求項３】
前記該各ユニットコントローラーは、計算ユニット、比較ユニット、調節ユニットを備え、
該計算ユニットは、該負荷の作動電圧に基づき、該各コンバーターの総数と、平均電圧を計算し、該平均電圧は、該負荷の作動電圧値を、該各コンバーターの総数で割って得られ、
該比較ユニットは、該平均電圧を、対応する該コンバーターがアウトプットする該定電圧と比較し、
該調節ユニットは、該比較ユニットの比較結果に基づき、対応する該コンバーターのデューティサイクルを選択的に調整したことを特徴とする請求項２に記載の燃料電池に用いる電圧調整装置。
【請求項４】
前記制御回路は、計算ユニット、複数のユニットコントローラーを備え、
該計算ユニットは、該負荷の作動電圧に基づき、該各コンバーターの総数と、平均電圧を計算し、該平均電圧は、該負荷の作動電圧値を、該各コンバーターの総数で割って得られ、
該複数のユニットコントローラーは、該各コンバーターにそれぞれ対応し、該各ユニットコントローラーは、該平均電圧に基づき、対応する該コンバーターがアウトプットする該定電圧を制御したことを特徴とする請求項１に記載の燃料電池に用いる電圧調整装置。
【請求項５】
前記該各ユニットコントローラーは、比較ユニット、調節ユニットを備え、
該比較ユニットは、該平均電圧と対応する該コンバーターがアウトプットする該定電圧を比較し、
該調節ユニットは、該比較ユニットの比較結果に基づき、対応する該コンバーターのデューティサイクルを選択的に調整したことを特徴とする請求項４に記載の燃料電池に用いる電圧調整装置。
【請求項６】
燃料電池に用いる電圧調整方法は、以下のステップを含み、
該複数のコンバーターを利用し、該燃料電池のアウトプットを転換し、定電圧としてアウトプットし、
該各コンバーターがアウトプットする該各定電圧を合併し、アウトプット電圧とし、
フィードバック制御ステップを執行し、それは、該アウトプット電圧に基づき、該各コンバーターをフィードバック制御し、これにより該各コンバーターに等しい大きさの定電圧をアウトプットさせたことを特徴とする燃料電池に用いる電圧調整方法。
【請求項７】
前記フィードバック制御ステップは、以下のステップを含み、
該アウトプット電圧に基づき、該各コンバーターの総数と、平均電圧を計算し、該平均電圧は、該アウトプット電圧を該各コンバーターの総数で割って得られ、
該各コンバーターがアウトプットする該定電圧と該平均電圧とを比較し、
選択的調整ステップを執行し、それは、該各コンバーターが対応する比較結果に基づき、対応する該コンバーターのデューティサイクルを選択的に調整したことを特徴とする請求項６に記載の燃料電池に用いる電圧調整方法。
【請求項８】
前記選択的調整ステップは、以下を含み、
該定電圧が該平均電圧より小さい時には、対応する該コンバーターの該デューティサイクルを増やし、これにより該コンバーターがアウトプットする該定電圧は、該平均電圧まで上がり、
該定電圧が該平均電圧より大きい時には、対応する該コンバーターの該デューティサイクルを下げ、これにより該コンバーターがアウトプットする該定電圧は、該平均電圧まで下がり、
該定電圧が該平均電圧に等しい時には、対応する該コンバーターの該デューティサイクルを変化させないことを特徴とする請求項７に記載の燃料電池に用いる電圧調整方法。
【請求項９】
前記選択的調整ステップは、パルス幅変調（ＰＷＭ）制御メカニズムにより、該コンバーターの該デューティサイクルを増加或いは減少させたことを特徴とする請求項７に記載の燃料電池に用いる電圧調整方法。
【請求項１０】
前記アウトプット電圧は、負荷の作動電圧として用いたことを特徴とする請求項６に記載の燃料電池に用いる電圧調整方法。
【発明の詳細な説明】
【技術分野】
【０００１】
本発明は燃料電池の電力供給システムに関し、特に燃料電池に用いる電圧調整装置及びその方法に関する。
【背景技術】
【０００２】
燃料電池（Ｆｕｌｌ  Ｃｅｌｌ）は、電化学反応を利用し、化学エネルギーを電気エネルギーに転換してアウトプットする電池装置である。
燃料電池の作動原理は、以下の通りである。
先ず、水素を含む燃料と酸化剤（空気或いは酸素）を燃料電池の陽極と陰極にそれぞれ送る。
陽極は、燃料を水素イオンと電子に分解し、水素イオンは、陽極からプロトン交換膜を通して陰極に至り、外部回路が陰極に伝動する電子と反応を生じ、結合して水となる。
そのため、燃料を供給し続ければ、燃料電池は発電を続けることができる。
燃料電池は、従来の発電方式に比べ低汚染、低騒音、高エネルギー密度、エネルギー転換効率が比較的高い等の長所を備えるため、極めて高い将来性を備えるエネルギーであり、燃料電池の応用範囲は非常に広く、既に電力、工業、運輸、航空、軍事等各領域にわたっている。
【０００３】
燃料電池の電力供給過程は、燃料濃度、反応温度、燃料の伝送、電子流の移動に関わるため、燃料電池がアウトプットする電圧／電流は、負荷の大きな影響を受ける。
燃料電池と負荷を連接すると、その端電圧は、負荷電流の変化に従い明らかな変動を生じ易く、しかも変動の比率は約５０％にも達する。
さらに、負荷電流が大きければ大きいほど、燃料電池の変化量も大きくなるため、一般には、燃料電池がアウトプットする電圧を直接使用せず、先ず、電力電子技術を利用して、燃料電池がアウトプットする電圧を安定させ、次に、安定させた後の電圧をアウトプットして使用している。
【０００４】
すなわち、燃料電池がアウトプットする電圧は、負荷変動及び燃料電池極化損失の影響を容易に受けるため、直流アウトプット電圧は不安定になってしまう。
そのため、コンバーター（Ｃｏｎｖｅｒｔｅｒ）を利用し、燃料電池がアウトプットする電圧を安定させて応用端へと送る。
広く普及している燃料電池のアウトプット電力規格は、１ｋＷ（キロワット）〜１０ｋＷであるが、大電力アウトプット規格のコンバーターには、以下の技術的な問題が存在する。
つまり、大電力コンバーターのパーツは、手に入りにくく、しかも製造コストが比較的高い。
さらに、燃料電池の低圧大電流は、コンバーターの製造を難しくし、また大電流は、電磁干渉等問題を引き起こす。
本発明は、従来の燃料電池に用いる電圧調整装置及びその方法の上記した欠点に鑑みてなされたものである。
【発明の概要】
【発明が解決しようとする課題】
【０００５】
本発明が解決しようとする第一の課題は、多数のコンバーターのインプット端を並列し、単一のコンバーターが大電力のインプットを受けることがないようにし、これにより大電力コンバーターの製造コストが高く、しかも製造プロセスが困難で、大電流電磁干渉を引き起こすという問題を解決することができる燃料電池に用いる電圧調整装置及びその方法を提供することである。
本発明が解決しようとする第二の課題は、多数のコンバーターのアウトプット端を直列し、単一のコンバーターの電圧比を低下させ、これにより拡大サージ及び二次非線形振動等の問題を回避することができる燃料電池に用いる電圧調整装置及びその方法を提供することである。
本発明が解決しようとする第三の課題は、ユニットコントローラーの制御を通して、各コンバーターのアウトプット電力を相同とし、これにより多数のコンバーターのアウトプットを合併後、その内のあるコンバーターのアウトプット電力が過大となる現象が起き、損壊してしまうという問題を回避することができる燃料電池に用いる電圧調整装置及びその方法を提供することである。
【課題を解決するための手段】
【０００６】
上記課題を解決するため、本発明は下記の燃料電池に用いる電圧調整装置及びその方法を提供する。
燃料電池に用いる電圧調整装置は、複数のコンバーター、制御回路からなり、
該複数のコンバーターの各コンバーターは、インプット端とアウトプット端を備え、しかも該各コンバーターの該各インプット端は、並列電気連接関係により、燃料電池に電気的に連接し、該各コンバーターの該各アウトプット端は、直列電気連接関係により、負荷のプラスエンドポイントとマイナスエンドポイントとの間に連接し、
該制御回路は、該負荷に対応する作動電圧により、該各コンバーターを制御し、こうして該各コンバーターは、等しい大きさの定電圧をアウトプットし、
燃料電池に用いる電圧調整方法は、以下のステップを含み、
該複数のコンバーターを利用し、燃料電池のアウトプットを転換して定電圧をアウトプットし、
該各コンバーターがアウトプットする該各定電圧を合併し、アウトプット電圧とし、
フィードバック制御ステップを執行し、それは、アウトプット電圧に基づき、該各コンバーターをフィードバック制御し、こうして該各コンバーターは、等しい大きさの定電圧をアウトプットする。
【発明の効果】
【０００７】
本発明の燃料電池に用いる電圧調整装置及びその方法は、以下の効果を備える。
１．  多数のコンバーターのインプット端を並列する設置方式を利用し、燃料電池のアウトプット電力全体を平均に分配し、単一のコンバーターが大電力のインプットを受けることがないようにし、比較的小さい電力のコンバーターを採用することができ、これにより大電力コンバーターの製造コストが高く、しかも製造プロセスが困難で、大電流電磁干渉を引き起こすという問題を解決することができる。
２．  多数のコンバーターのアウトプット端を直列する設置方式を利用し、アウトプット電圧全体を高め、これにより単一のコンバーターモジュールの電圧比を低下させ、こうして拡大サージ及び二次非線形振動等の問題を回避することができる。
３．  内部制御ユニットの制御を通して、各コンバーターのアウトプット電力を相同とし、これにより多数のコンバーターのアウトプットを合併後、その内のあるコンバーターのアウトプット電力が過大となる現象が起き、損壊することを防止可能である。
【図面の簡単な説明】
【０００８】
【図１】本発明燃料電池に用いる電圧調整装置の概要ブロックチャートである。
【図２】本発明燃料電池に用いる電圧調整方法のフローチャートである。
【図３】本発明第一実施例の制御回路の概要ブロックチャートである。
【図４】本発明第一実施例のユニットコントローラーの概要ブロックチャートである。
【図５】本発明一実施例のフィードバック制御ステップの細部フローチャートである。
【図６】本発明一実施例のステップ４５３及びステップ４５５の細部フローチャートである。
【図７】本発明第二実施例の制御回路の概要ブロックチャートである。
【図８】本発明第二実施例のユニットコントローラーの概要ブロックチャートである。
【発明を実施するための形態】
【０００９】
以下に図面を参照しながら本発明を実施するための最良の形態について詳細に説明する。
【実施例】
【００１０】
図１は、本発明燃料電池に用いる電圧調整装置２０の概要ブロックチャートで、図２は、本発明燃料電池に用いる電圧調整方法のフローチャートで、図３は、本発明第一実施例の制御回路２３の概要ブロックチャートである。
【００１１】
図１及び図２に示すように、本実施例燃料電池に用いる電圧調整装置２０は、燃料電池１０と負荷３０との間に連接し、燃料電池１０のアウトプットを安定転換させ負荷３０に送る。
【００１２】
該燃料電池に用いる電圧調整装置２０は、多数のコンバーター２１−１、２１−２〜２１−ｎ（以下は、２１により各コンバーターを総称する）及び制御回路２３からなる。
【００１３】
該各コンバーター２１は、インプット端とアウトプット端を備える。
【００１４】
該各コンバーター２１−１、２１−２〜２１−ｎのインプット端は、並列電気連接関係により、燃料電池１０に電気的に連接し、該燃料電池１０のアウトプットを平均に受け取る。
【００１５】
すなわち、燃料電池１０の全体アウトプット電力は、該各コンバーター２１に平均に分配される。
【００１６】
こうして、単一のコンバーターが大電力のインプットを受けることがないようにするため、比較的小さい電力のコンバーターを採用することができる。
【００１７】
これにより、大電力コンバーターの、製造コストが高く、しかも製造プロセスが困難で、大電流電磁干渉を引き起こすという問題を解決することができる。
【００１８】
該各コンバーター２１−１、２１−２〜２１−ｎは、該燃料電池１０のアウトプットをそれぞれ転換し、定電圧（Ｖ１、Ｖ２〜Ｖｎ）をアウトプットする（ステップ４１０）。
【００１９】
該各コンバーター２１−１、２１−２〜２１−ｎのアウトプット端は、直列電気連接関係により、負荷３０のプラスエンドポイントとマイナスエンドポイントとの間に連接する。
【００２０】
これにより、該各コンバーター２１−１、２１−２〜２１−ｎがアウトプットする定電圧（Ｖ１、Ｖ２〜Ｖｎ）は、アウトプット電圧Ｖｏｕｔに合併され（ステップ４３０）、しかも該アウトプット電圧Ｖｏｕｔを、この負荷３０の作動電圧とする。
【００２１】
該制御回路２３は、該負荷３０に電気的に連接し、該負荷３０に対応する作動電圧により、該各コンバーター２１を制御し、これにより該各コンバーター２１は、等しい大きさの定電圧をアウトプットする。
【００２２】
該アウトプット電圧Ｖｏｕｔ（負荷３０の作動電圧）は、フィードバック信号ＦＢとし、該制御回路２３へとフィードバックすることができる。
【００２３】
該制御回路２３は、このフィードバック信号ＦＢを受信し、フィードバック制御を行い、アウトプット電圧Ｖｏｕｔに基づき、該各コンバーター２１のフィードバック制御を行う。
【００２４】
これにより、該各コンバーター２１は、等しい大きさの定電圧をアウトプットする（ステップ４５０）。
【００２５】
こうして、該各コンバーター２１のアウトプット電力は相同となり、該多数のコンバーター２１−１、２１−２〜２１−ｎのアウトプットを合併後、ある単一のコンバーター２１にアウトプット電力過大の現象が出現し、損壊してしまうことを回避することができる。
【００２６】
ここにおいて、該各コンバーター２１は、ＤＣ／ＤＣコンバーター（ＤＣ／ＤＣ  Ｃｏｎｖｅｒｔｅｒ）である。
【００２７】
図３に示すように、該制御回路２３は、多数のユニットコントローラー２３０−１、２３０−２〜２３０−ｎ（以下では、２３０により各ユニットコントローラーを総称する）を備える。
【００２８】
該各ユニットコントローラー２３０−１、２３０−２〜２３０−ｎは、該コンバーター２１−１、２１−２〜２１−ｎにそれぞれ対応し、しかも該ユニットコントローラー２３０−１、２３０−２〜２３０−ｎは、該コンバーター２１−１、２１−２〜２１−ｎに一対一で電気的に連接する。
【００２９】
この他、該各ユニットコントローラー２３０は、対応するコンバーター２１とコンバーターモジュール（図示なし）を構成することができる。
【００３０】
すなわち、該各コンバーターモジュールはすべて、１個のユニットコントローラー２３０と１個のコンバーター２１を備え、これにより回路構造全体をシンプルにすることができる。
【００３１】
該各ユニットコントローラー２３０は、フィードバック信号ＦＢを受信し、しかもアウトプット電圧Ｖｏｕｔ（負荷３０の作動電圧）に基づき、対応するコンバーター２１のフィードバック制御を行う。
【００３２】
これにより、該各コンバーター２１は、等しい大きさの定電圧をアウトプットする。
【００３３】
図４は、本発明第一実施例のユニットコントローラー２３０−ｉの概要ブロックチャートで、図５は、本発明一実施例のフィードバック制御ステップ（ステップ４５０）の細部フローチャートである。
【００３４】
各ユニットコントローラー２３０の構造は、おおよそ相同であるため、説明を明確にするため、図中では単一のユニットコントローラー２３０−ｉの概要構造だけを図示する。
内、ｉは、１からｎまでの任意のプラスの整数である。
【００３５】
図１〜４に示すように、ユニットコントローラー２３０−ｉは、計算ユニット２３１、比較ユニット２３３、調節ユニット２３５を備える。
【００３６】
該計算ユニット２３１は、負荷３０に電気的に連接し、該比較ユニット２３３は、該計算ユニット２３１と、対応するコンバーター２１−ｉのアウトプットに電気的に連接し、該調節ユニット２３５は、該比較ユニット２３３のアウトプットと対応するコンバーター２１−ｉとの間に連接する。
【００３７】
図５に合わせて示すように、該計算ユニット２３１は、アウトプット電圧Ｖｏｕｔ（すなわち、負荷３０の作動電圧）に相応するフィードバック信号ＦＢを受信する。
【００３８】
しかも、該アウトプット電圧Ｖｏｕｔ（すなわち、負荷３０の作動電圧）と該コンバーター２１−１、２１−２〜２１−ｎの総数（ｎ）に基づき、平均電圧Ｖａを計算する（ステップ４５１）。
【００３９】
該平均電圧Ｖａは、該アウトプット電圧Ｖｏｕｔを、該コンバーター２１−１、２１−２〜２１−ｎの総数（ｎ）により割って得られる。
【００４０】
該各ユニットコントローラー２３０−ｉの比較ユニット２３３は、該平均電圧Ｖａとそれぞれ対応するコンバーター２１−ｉがアウトプットする定電圧Ｖを比較（ステップ４５３）し、この比較結果Ｒを、各自の調節ユニット２３５にアウトプットする。
【００４１】
該各ユニットコントローラー２３０−ｉの調節ユニット２３５は、選択的調整ステップを執行し、該各コンバーター２１が対応する比較結果Ｒに基づき、対応するコンバーター２１−ｉのデューティサイクルを選択的に調整する（ステップ４５５）。
【００４２】
図６は、本発明一実施例のステップ４５３及びステップ４５５の細部フローチャートである。
【００４３】
図６に示すように、対応するコンバーター２１−ｉがアウトプットする定電圧Ｖｉが、平均電圧Ｖａより大きい時（ステップ４５３１）には、該調節ユニット２３５は、対応するコンバーター２１−ｉのデューティサイクルを低下させ（ステップ４５５１）、対応するコンバーター２１−ｉがアウトプットする定電圧Ｖｉを、平均電圧Ｖａまで下げる。
【００４４】
対応するコンバーター２１−ｉがアウトプットする定電圧Ｖｉが、該平均電圧Ｖａより小さい（ステップ４５３３）時には、該調節ユニット２３５は、対応するコンバーター２１−ｉのデューティサイクルを増やし（ステップ４５５３）、コンバーター２１−ｉがアウトプットする定電圧Ｖｉを、平均電圧Ｖａまで上げる。
【００４５】
対応するコンバーター２１−ｉがアウトプットする定電圧Ｖｉが、該平均電圧Ｖａと等しい時には、該調節ユニット２３５は、対応するコンバーター２１−ｉのデューティサイクルを改変しない（ステップ４５５５）。
【００４６】
任意のユニットコントローラー２３０−ｉの調節ユニット２３５が、対応するコンバーター２１−ｉのデューティサイクルの調整を行った後、アウトプット電圧Ｖｏｕｔはこれに従い変化する。
【００４７】
よって、該計算ユニット２３１は、平均電圧Ｖａを再度計算し（ステップ４５１）、すべてのコンバーター２１−１、２１−２〜２１−ｎが等しい大きさの定電圧（Ｖ１、Ｖ２〜Ｖｎ）をアウトプットするまで、後続の比較動作を継続する。
【００４８】
該調節ユニット２３５が行う選択的調整ステップは、パルス幅変調（ＰＷＭ）制御メカニズムにより、対応するコンバーター２１−ｉのデューティサイクルを増やし、或いは減らすことができる。
【００４９】
この他、図６中では、定電圧Ｖｉが平均電圧Ｖａより大きいか否かを判断するステップ（ステップ４５３１）を先に図示しているが、結果が「いいえ」である時には、定電圧Ｖｉが該平均電圧Ｖａより小さいか否かを再度判断する（ステップ４５３３）。
【００５０】
この執行順序は、本発明に制限を加えるものではなく、定電圧Ｖｉが該平均電圧Ｖａより小さいか否かを先に判断する（ステップ４５３３）こともできる。
【００５１】
結果が「いいえ」である時には、定電圧Ｖｉが平均電圧Ｖａより大きいか否かを再度判断する（ステップ４５３１）。
【００５２】
或いは、定電圧Ｖｉが平均電圧Ｖａより大きいか否かを判断するステップ（ステップ４５３１）と、定電圧Ｖｉが該平均電圧Ｖａより小さいか否かを判断するステップ（ステップ４５３３）を、同時に行うこともできる。
【００５３】
両者の結果が共に「否」である時には、該調節ユニット２３５は、対応するコンバーター２１−ｉのデューティサイクルを改変しない（ステップ４５５５）。
【００５４】
図７は、本発明第二実施例の制御回路２３の概要ブロックチャートである。
【００５５】
図７に示すように、第二実施例中では、制御回路２３は、多数のユニットコントローラー２３０−１、２３０−２〜２３０−ｎ及び計算ユニット２３１を備える。
【００５６】
該各ユニットコントローラー２３０−１、２３０−２〜２３０−ｎは、コンバーター２１−１、２１−２〜２１−ｎにそれぞれ対応し、しかもユニットコントローラー２３０−１、２３０−２〜２３０−ｎは、該コンバーター２１−１、２１−２〜２１−ｎに一対一で電気的に連接する。
【００５７】
計算ユニット２３１は、該負荷３０に電気的に連接し、該計算ユニット２３１のアウトプットは、各ユニットコントローラー２３０に電気的に連接する。
【００５８】
該各ユニットコントローラー２３０は、対応するコンバーター２１とコンバーターモジュール（図示なし）を構成することができる。
【００５９】
すなわち、該各コンバーターモジュールはすべて、１個のユニットコントローラー２３０と１個のコンバーター２１を備え、これにより回路構造全体をシンプルにすることができる。
【００６０】
図５に合わせて示すように、該計算ユニット２３１は、アウトプット電圧Ｖｏｕｔ（すなわち、負荷３０の作動電圧）に相応するフィードバック信号ＦＢを受信する。
【００６１】
しかも、該アウトプット電圧Ｖｏｕｔ（すなわち、負荷３０の作動電圧）と該コンバーター２１−１、２１−２〜２１−ｎの総数（ｎ）に基づき、平均電圧Ｖａを計算する（ステップ４５１）。
【００６２】
該平均電圧Ｖａは、該アウトプット電圧Ｖｏｕｔを、該コンバーター２１−１、２１−２〜２１−ｎの総数（ｎ）により割って得られる。
【００６３】
該各ユニットコントローラー２３０は、該平均電圧Ｖａに基づき、対応するコンバーター２１のフィードバック制御を行い（ステップ４５３及びステップ４５５）、これにより該各コンバーター２１は、等しい大きさの定電圧をアウトプットする。
【００６４】
図８は、本発明第二実施例のユニットコントローラー２３０−ｉの概要ブロックチャートである。
【００６５】
各ユニットコントローラー２３０の構造は、おおよそ相同であるため、説明を明確にするため、図中では、単一のユニットコントローラー２３０−ｉの概要構造のみを図示する。
内、ｉは、１からｎまでの任意のプラスの整数である。
【００６６】
図１、図７及び図８に示すように、該ユニットコントローラー２３０−ｉは、比較ユニット２３３及び調節ユニット２３５を備える。
【００６７】
該比較ユニット２３３は、計算ユニット２３１と、対応するコンバーター２１−ｉのアウトプットに電気的に連接し、該調節ユニット２３５は、該比較ユニット２３３のアウトプットと対応するコンバーター２１−ｉとの間に連接する。
【００６８】
さらに図５に合わせて示すように、該各ユニットコントローラー２３０−ｉの比較ユニット２３３は、該平均電圧Ｖａとそれぞれ対応するコンバーター２１−ｉがアウトプットする定電圧Ｖを比較（ステップ４５３）し、この比較結果Ｒを、各自の調節ユニット２３５にアウトプットする。
【００６９】
該各ユニットコントローラー２３０−ｉの調節ユニット２３５は、選択的調整ステップを執行し、比較結果Ｒに基づき、対応するコンバーター２１−ｉのデューティサイクルを選択的に調整する（ステップ４５５）。
【００７０】
こうして、本発明は、内部制御ユニット（すなわち、制御回路２３）の制御を通して、各コンバーター２１のアウトプット電力を相同とする。
【００７１】
これにより、多数のコンバーター２１−１、２１−２〜２１−ｎのアウトプット合併後に、その内のあるコンバーターのアウトプット電力が過大となる現象が起き、損壊することを回避することができる。
【００７２】
上記の本発明名称と内容は、本発明技術内容の説明に用いたのみで、本発明を限定するものではない。本発明の精神に基づく等価応用或いは部品（構造）の転換、置換、数量の増減はすべて、本発明の保護範囲に含むものとする。
【産業上の利用可能性】
【００７３】
本発明は特許の要件である新規性を備え、従来の同類製品に比べ十分な進歩を有し、実用性が高く、社会のニーズに合致しており、産業上の利用価値は非常に大きい。
【符号の説明】
【００７４】
１０      燃料電池
２０      燃料電池に用いる電圧調整装置
２１−１、２１−２〜２１−ｎ  コンバーター
２１−ｉ  コンバーター
２３      制御回路
２３０−１、２３０−２〜２３０−ｎ  ユニットコントローラー
２３０−ｉ  ユニットコントローラー
２３１    計算ユニット
２３３    比較ユニット
２３５    調節ユニット
３０      負荷
Ｖｏｕｔ  アウトプット電圧
ＦＢ      フィードバック信号
Ｖａ      平均電圧
Ｖｉ      定電圧
Ｒ        比較結果
【図１】
2012029544.tif 000003
【図２】
2012029544.tif 000004
【図３】
2012029544.tif 000005
【図４】
2012029544.tif 000006
【図５】
2012029544.tif 000007
【図６】
2012029544.tif 000008
【図７】
2012029544.tif 000009
【図８】
2012029544.tif 000010